(57)【特許請求の範囲】
【請求項１】
二つの入力端を有すると共に、一方の入力端に合成ビデオ信号が入力される乗算器と、前記乗算器の後段に設けられたバッファアンプと、前記バッファアンプの出力端と前記乗算器の他方の入力端との間に設けられ、前記バッファアンプから出力される合成ビデオ信号を前記他方の入力端に入力する負帰還回路とを備え、前記負帰還回路は少なくとも前記乗算器の他方の入力端に出力端が接続されている反転増幅器と、前記反転増幅器と前記バッファアンプとの間に設けられた帰還用増幅器と、前記帰還用増幅器から出力される合成ビデオ信号を分圧して前記反転増幅器に入力する第一の分圧回路とを有しており、互いに異なる極性の電圧が両端に印加された第二の分圧回路の分圧電圧を可変抵抗器を介して前記帰還用増幅器と前記第一の分圧回路との接続点に印加するように接続したことを特徴とするビデオＡＧＣ回路。
【請求項２】
前記乗算器と前記バッファアンプとの間に介挿された加算器と、前記第二の分圧回路とを有し、前記第二の分圧回路の分圧電圧と前記バッファアンプから出力された合成ビデオ信号とを前記加算器に入力して前記バッファアンプから出力される合成ビデオ信号の振幅を所定値となるように設定したことを特徴とする請求項１に記載のビデオＡＧＣ回路。
【発明の詳細な説明】
【０００１】
【発明の属する技術分野】
本発明はＣＡＴＶシステムの送信機などに使用されるビデオＡＧＣ回路に関する。
【０００２】
【従来の技術】
従来のビデオＡＧＣ回路を図４に従って説明する。図４において、合成ビデオ信号（以下、ビデオ信号という）が入力される反転増幅器２１はオペアンプによって構成され、その出力端は第一の差動増幅器２２の非反転入力端（＋）に接続される。反転増幅器２１に入力されるビデオ信号は図５に示すような正極性の波形を有し、ペデスタルレベルが０ボルトとなるように設定され、同期信号（ＳＹ）がマイナス側に位置する。第一の差動増幅器２２の反転入力端（−）は接地される。
【０００３】
第一の差動増幅器２２の次段には二つの入力端を有する乗算器２３が設けられ、一方の入力端に第一の差動増幅器２２の出力端が接続される。また、乗算器２３の次段には二つの入力端を有する加算器２４が設けられ、加算器２４の次段には利得が１のバッファアンプ２５が設けられる。そして、乗算器２３の出力端が加算器２４の一方の入力端に接続される。また、バッファアンプ２５の出力端と乗算器２３の他方の入力端との間に負帰還回路２６が接続される。
【０００４】
負帰還回路２６は反転増幅器となる第二の差動増幅器２７、帰還用増幅器２８を有し、第二の差動増幅器２７の出力端が乗算器２３の他方の入力端に接続され、帰還用増幅器２８の入力端がバッファアンプ２５の出力端に接続される。また、帰還用増幅器２８の出力端が第一の分圧回路２９を介して第二の差動増幅器２７の反転入力端に接続される。第二の差動増幅器２７の非反転入力端は接地される。
【０００５】
一方、互いに異なる極性の電圧（＋Ｂ／−Ｂ）が両端に加えられた第二の分圧回路３０が設けられ、この分圧回路３０内の可変抵抗器３０ａから得られる分圧電圧が抵抗３１を介して加算器２４の他方の入力端に入力される。たま、バッファアンプ２５の出力端と加算器２４の他方の入力端との間に抵抗３２が接続される。抵抗３１、３２は第三の分圧回路を構成する。
【０００６】
前述した第一の差動増幅器２２、乗算器２３、加算器２４、バッファアンプ２５及び第二の差動増幅器２７は１パッケージの集積回路内に構成されている。
【０００７】
以上の構成において、バッファアンプ２５からはペデスタルレベルが０ボルトなり、極性が反転した（負極性となった）ビデオ信号が出力さる（出力ビデオ信号という）。出力ビデオ信号は第三の分圧回路をなす抵抗３２を介して加算器２４の他方の入力端に入力されるが、その直流レベルは第二の分圧回路３０によって設定された分圧電圧により決まる。そして、この分圧電圧と第三の分圧回路の分圧比（抵抗３１と３２とによる分圧比）とによって出力ビデオ信号の振幅（ピーク・ピーク値）がある所定値（通常１ボルト）となるように設定される。また、出力ビデオ信号が帰還用増幅器２８、第一の分圧回路２９、第二の差動増幅器２７を直列に介して乗算器２３に負帰還されるが、この負帰還量は同期信号の大きさに対応する。その結果、出力ビデオ信号の振幅が所定値を維持するように制御される。
【０００８】
【発明が解決しようとする課題】
しかし、反転増幅器２１を介して乗算器２２に入力されるビデオ信号の振幅が大きく変化した場合（０．５ボルト〜２．０ボルト）、出力ビデオ信号の振幅も若干の範囲で変化する。この変化は第一の差動増幅器２２乃至バッファアンプ２５等の特性ばらつきによるものであり、その変化の大きさは個々の集積回路（第一の差動増幅器２２乃至バッファアンプ２５）によって異なってくる。その結果、出力ビデオ信号の振幅（同期信号も含めた全体）が変化するだけでなく、図６に示すように、ペデスタルレベルが０ボルト以上に上昇する場合がある（反対の場合もある）。このレベル変化の程度も個々の集積回路によって異なってくる。
【０００９】
すると、０ボルトから同期信号のピークまでの電圧（Ｅ）が同期信号のみの大きさよりも大きくなり、負帰量が変わってしまい、出力ビデオ信号の振幅が所定値からずれることになる。
【００１０】
そこで、本発明のビデオＡＧＣ回路は出力される合成ビデオ信号のペデスタルレベルが入力される合成ビデオ信号の振幅の変化の影響を受けずに常に０ボルトに設定出来るようにすることを目的とする。
【００１１】
【課題を解決するための手段】
上記課題の解決のため、二つの入力端を有すると共に、一方の入力端に合成ビデオ信号が入力される乗算器と、前記乗算器の後段に設けられたバッファアンプと、前記バッファアンプの出力端と前記乗算器の他方の入力端との間に設けられ、前記バッファアンプから出力される合成ビデオ信号を前記他方の入力端に入力する負帰還回路とを備え、前記負帰還回路は少なくとも前記乗算器の他方の入力端に出力端が接続されている反転増幅器と、前記反転増幅器と前記バッファアンプとの間に設けられた帰還用増幅器と、前記帰還用増幅器から出力される合成ビデオ信号を分圧して前記反転増幅器に入力する第一の分圧回路とを有しており、互いに異なる極性の電圧が両端に印加された第二の分圧回路の分圧電圧を可変抵抗器を介して前記帰還用増幅器と前記第一の分圧回路との接続点に印加するように接続した。
【００１３】
また、前記乗算器と前記バッファアンプとの間に介挿された加算器と、前記第二の分圧回路とを有し、前記第二の分圧回路の分圧電圧と前記バッファアンプから出力された合成ビデオ信号とを前記加算器に入力して前記バッファアンプから出力される合成ビデオ信号の振幅を所定値となるように設定した。
【００１４】
【発明の実施の形態】
本発明のビデオＡＧＣ回路を図１に従って説明する。図１において、合成ビデオ信号（以下、ビデオ信号という）が入力される反転増幅器１はオペアンプによって構成され、その出力端は第一の差動増幅器２の非反転入力端（＋）に接続される。反転増幅器１に入力されるビデオ信号は図２に示すような正極性の波形を有し、ペデスタルレベルが０ボルトとなるように設定され、同期信号（ＳＹ）がマイナス側に位置する。第一の差動増幅器２の反転入力端（−）は接地される。
【００１５】
第一の差動増幅器２の次段には二つの入力端を有する乗算器３が設けられ、一方の入力端に第一の差動増幅器２の出力端が接続される。また、乗算器３の次段には二つの入力端を有する加算器４が設けられ、加算器４の次段には利得が１のバッファアンプ５が設けられる。そして、乗算器３の出力端が加算器４の一方の入力端に接続される。また、バッファアンプ５の出力端と乗算器３の他方の入力端との間に負帰還回路６が接続される。
【００１６】
負帰還回路６は反転増幅器となる第二の差動増幅器７、帰還用増幅器８を有し、第二の差動増幅器７の出力端が乗算器３の他方の入力端に接続され、帰還用増幅器８の入力端がバッファアンプ５の出力端に接続される。また、帰還用増幅器８の出力端が第一の分圧回路９を介して第二の差動増幅器７の反転入力端に接続される。第二の差動増幅器７の非反転入力端は接地される。
【００１７】
一方、互いに異なる極性の電圧（＋Ｂ／−Ｂ）が両端に加えられた第二の分圧回路１０が設けられ、この分圧回路１０内の適宜の分圧点から得られる分圧電圧（直流電圧）を可変抵抗器１１を介して帰還用増幅器８と第一の分圧回路９との接続点に印加される。従って、バッファアンプ５から出力されて乗算器３に負帰還されるビデオ信号（出力ビデオ信号という）の直流レベルは、第二の分圧回路１０から得る分圧電圧及び可変抵抗器１１の抵抗値を変えることによって変わる。
【００１８】
また、第二の分圧回路１０内の可変抵抗器１０ａから得られる分圧電圧が抵抗１２を介して加算器４の他方の入力端に入力される。たま、バッファアンプ５の出力端と加算器４の他方の入力端との間に抵抗１３が接続される。抵抗１２、１３は第三の分圧回路を構成する。
【００１９】
なお、前述した第一の差動増幅器２、乗算器３、加算器４、バッファアンプ５及び第二の差動増幅器７は１パッケージの集積回路内に構成されている。
【００２０】
以上の構成において、バッファアンプ５からは極性が反転した（負極性となった）出力ビデオ信号が出力さる。そして、第二の分圧回路１０の分圧電圧と抵抗１２、１３の抵抗比との設定によって出力ビデオ信号の振幅（ピーク・ピーク値）がある所定値（通常１ボルト）となるように設定される。
また、出力ビデオ信号が帰還用増幅器８、第一の分圧回路９、第二の差動増幅器７を直列に介して乗算器３に負帰還され、出力ビデオ信号の振幅が上記所定値に維持されるように制御される。
【００２１】
ここで、反転増幅器１に入力されるビデオ信号の振幅が大きく変化し、それに伴って出力ビデオ信号の振幅も前記所定値よりも僅かに大きくなると共に、例えば、そのペデスタルレベルが図６に示すように０ボルトよりも高くなったときには、第二の分圧回路１０から第一の分圧回路９に重畳する直流電圧を下げて乗算器３に帰還するビデオ信号のペデスタルレベルが０ボルトとなるようにする。この調整は第二の分圧回路１０の分圧電圧と可変抵抗器１１によって設定される。
【００２２】
この結果、同期信号のみの振幅によって負帰還制御され、図３に示すように、出力ビデオ信号におけるペデスタルレベルが０ボルトになると共に、出力ビデオ信号の振幅も所定値となる。
【００２３】
【発明の効果】
以上のように、本発明のビデオＡＧＣ回路は、二つの入力端を有すると共に、一方の入力端に合成ビデオ信号が入力される乗算器と、乗算器の後段に設けられたバッファアンプと、バッファアンプから出力される合成ビデオ信号を乗算器の他方の入力端に入力する負帰還回路とを備え、乗算器の他方の入力端に入力される合成ビデオ信号の直流レベルを変えられるようにしたので、同期信号の大きさに対応した帰還動作となり、バッファアンプから出力される合成ビデオ信号のペデスタルレベルを０ボルトに合わせ、且つ合成ビデオ信号の振幅を一定に維持出来る。
【００２４】
また、負帰還回路は少なくとも反転増幅器と、反転増幅器とバッファアンプとの間に設けられた帰還用増幅器とを有し、帰還用増幅器から出力される合成ビデオ信号を分圧して反転増幅器に入力する第一の分圧回路を設け、第一の分圧回路に直流電圧を重畳し、直流電圧を変えるようにしたので、負帰還される合成ビデオ信号の直流レベルを簡単に変えられる。また、帰還用アンプの出力側に重畳することになるので、直流電圧がバッファアンプから出力される合成ビデオ信号に直接影響を及ぼさない。
【００２５】
また、バッファアンプから出力される合成ビデオ信号の振幅を所定値となるように設定するための第二の分圧回路を設けて、第一の分圧回路に重畳する直流電圧を第二の分圧回路から取り出すと共に可変抵抗器を介して第一の分圧回路に重畳したので、第二の分圧回路を共有できる。また、負帰還のための合成ビデオ信号の直流レベルを可変抵抗器によって容易に変えることが出来る。
【図面の簡単な説明】
【図１】本発明のビデオＡＧＣ回路の構成を示す回路図である。
【図２】本発明のビデオＡＧＣ回路に入力される合成ビデオ信号の波形図である。
【図３】本発明のビデオＡＧＣ回路から出力される合成ビデオ信号の波形図である。
【図４】従来のビデオＡＧＣ回路の構成を示す回路図である。
【図５】従来のビデオＡＧＣ回路に入力される合成ビデオ信号の波形図である。
【図６】従来のビデオＡＧＣ回路から出力される合成ビデオ信号の波形図である。
【符号の説明】
１  反転増幅器
２  第一の差動増幅器
３  乗算器
４  加算器
５  バッファアンプ
６  負帰還回路
７  第二の差動増幅器（反転増幅器）
８  帰還用増幅器
９  第一の分圧回路
１０  第二の分圧回路
１０ａ、１１  可変抵抗器
１２、１３  抵抗
【図１】
0003901938.tif 000002
【図２】
0003901938.tif 000003
【図３】
0003901938.tif 000004
【図４】
0003901938.tif 000005
【図５】
0003901938.tif 000006
【図６】
0003901938.tif 000007